(57)【要約】  【課題】  暖房器具としての機能性を損なうことなく、テーブルとして使用する場合の利便性を高めることができる電気こたつを提供する。  【解決手段】  複数の脚体１１が取り付けられた支持板１０と、支持板１０に着脱可能に支持されるヒータユニット２０と、支持板１０の上面に載置される天板３０とを備える電気こたつ１であって、、支持板１０は、開口１２を有し、開口１２の周縁に段部１４が形成され、ヒータユニット２０は、周縁部が段部１４に係合する蓋体２２と、蓋体２２から開口１２を介して下方に突出する加熱部２４とを備え、蓋体２２の上面が支持板１０の上面と面一になるように配置される。【選択図】  図１
2014219168.tif 000002
【特許請求の範囲】
【請求項１】
複数の脚体が取り付けられた支持板と、前記支持板に着脱可能に支持されるヒータユニットと、前記支持板の上面に載置される天板とを備える電気こたつであって、
前記支持板は、開口を有し、前記開口の周縁に段部が形成され、
前記ヒータユニットは、周縁部が前記段部に係合する蓋体と、前記蓋体から前記開口を介して下方に突出する加熱部とを備え、前記蓋体の上面が前記支持板の上面と面一になるように配置される電気こたつ。
【請求項２】
前記天板は、前記支持板に形成された貫通孔に連結具を下方から挿入することにより、前記支持板に着脱自在に固定することができる請求項１に記載の電気こたつ。
【請求項３】
前記ヒータユニットは、前記加熱部に隣接して配置され、前記蓋体の上面に出入口を有する収容部を備える請求項１または２に記載の電気こたつ。
【発明の詳細な説明】
【技術分野】
【０００１】
本発明は、電気こたつに関する。
【背景技術】
【０００２】
従来の電気こたつとして、例えば特許文献１に開示された構成が知られている。この電気こたつは、４つの脚体により支持される支持枠の内側に設けられた井桁枠に支持ブラケットを吊下支持し、この支持ブラケットにヒータを有するヒータカバーを装着することで、支持ブラケットを井桁枠に対して容易に着脱できるように構成されている。
【先行技術文献】
【特許文献】
【０００３】
【特許文献１】特開２００２−３７２２４９号公報
【発明の概要】
【発明が解決しようとする課題】
【０００４】
上記特許文献１に開示された電気こたつは、ヒータを使用しない時期においては、支持ブラケットを取り外した後、支持枠に天板を載置することにより、テーブルとして使用することができる。ところが、支持枠と天板とが分離されていることから、移動が不便であったり、使用時に天板にがたつきが生じる等の問題があった。
【０００５】
そこで、本発明は、暖房器具としての機能性を損なうことなく、テーブルとして使用する場合の利便性を高めることができる電気こたつの提供を目的とする。
【課題を解決するための手段】
【０００６】
本発明の前記目的は、複数の脚体が取り付けられた支持板と、前記支持板に着脱可能に支持されるヒータユニットと、前記支持板の上面に載置される天板とを備える電気こたつであって、前記支持板は、開口を有し、前記開口の周縁に段部が形成され、前記ヒータユニットは、周縁部が前記段部に係合する蓋体と、前記蓋体から前記開口を介して下方に突出する加熱部とを備え、前記蓋体の上面が前記支持板の上面と面一になるように配置される電気こたつにより達成される。
【０００７】
この電気こたつにおいて、前記天板は、前記支持板に形成された貫通孔に連結具を下方から挿入することにより、前記支持板に着脱自在に固定できることが好ましい。また、前記ヒータユニットは、前記加熱部に隣接して配置され、前記蓋体の上面に出入口を有する収容部を備えることが好ましい。
【発明の効果】
【０００８】
本発明の電気こたつによれば、暖房器具としての機能性を損なうことなく、テーブルとして使用する場合の利便性を高めることができる。
【図面の簡単な説明】
【０００９】
【図１】本発明の一実施形態に係る電気こたつの分解斜視図である。
【図２】図１に示す電気こたつの断面図である。
【図３】図１に示す電気こたつをテーブルとして使用する場合の断面図である。
【発明を実施するための形態】
【００１０】
以下、本発明の実施の形態について、添付図面を参照して説明する。図１は、本発明の一実施形態に係る電気こたつの分解斜視図であり、図２は、その断面図である。図１及び図２に示すように、電気こたつ１は、支持板１０と、支持板１０に支持されるヒータユニット２０と、支持板１０の上面に載置される天板３０とを備えている。
【００１１】
支持板１０は、円板状に形成されており、下面側の周縁部に複数の脚体１１が取付具１１ａにより取り付けられている。支持板１０の中央部には、上下に貫通する矩形状の開口１２が形成されており、開口１２の上面側の周縁には全体にわたって段部１４が形成されている。また、支持板１０には、天板３０の取り付けに使用される複数の貫通孔１６が形成されている。支持板１０は、平坦な上面を有するものであれば、その形状は特に限定されるものではなく、例えば、楕円形状や矩形状等であってもよい。
【００１２】
ヒータユニット２０は、平板状の蓋体２２と、蓋体２２の下面側に設けられた加熱部２４と、加熱部２４に隣接して配置された収容部２６とを備えている。蓋体２２は、支持板１０の段部１４と略同じ大きさ・形状を有しており、蓋体２２の周縁部が段部１４に係合可能とされている。蓋体２２の厚みは、段部１４の高さと略同じであり、蓋体２２が段部１４に係合したときに、蓋体２２の上面と支持板１０の上面とが面一になるように構成されている。加熱部２４は、筐体内に赤外線ヒータや送風ファンなどを備える公知の構成であり、蓋体２２の下面に固定されたブラケット２３に支持されている。収容部２６は、蓋体２２の上面に出入口２６ａを有しており、加熱部２４の高さと同程度の収容深さを有している。
【００１３】
天板３０は、支持板１０と略同じ大きさ・形状を有しており、下面側における支持板１０の各貫通孔１６に対応する位置に、凹状の取付孔３１が形成されている。取付孔３１の内周面にはネジ部が形成されており、後述する連結具の先端部が螺合可能とされている。天板３０の厚みは、特に限定されないが、支持板１０と厚みと同程度であることが好ましく、例えば、約３０ｍｍである。
【００１４】
上記の構成を備える電気こたつ１は、暖房器具として使用する場合には、図１および図２に示すように、支持板１０にヒータユニット２０を装着して布団（図示せず）を被せた後、支持板１０の上面に布団を介して天板３０を載置する。ヒータユニット２０の蓋体２２の上面は、支持板１０の上面と面一になるように配置されるので、天板３０を略水平に載置することができ、従来の電気こたつと同様に使用することができる。
【００１５】
一方、夏場などでヒータユニット２０を使用しない場合には、図３に断面図で示すように、ヒータユニット２０を支持板１０から取り外し、支持板１０の上面に天板３０を直接載置した後、ボルトからなる連結具３２を支持板１０の下方から貫通孔１６に挿入し、天板３０の取付孔３１に螺合する。こうして、美感を損なうことなく、天板３０を支持板１０に着脱可能に固定することができる。
【００１６】
このように、本実施形態の電気こたつ１は、暖房器具として使用する場合の機能性を良好に維持しつつ、暖房が不要な場合には、軽量化を図りながら天板３０を支持板１０に容易に一体化させることが可能であり、テーブルとして使用する場合の利便性を高めることができる。したがって、一年を通して有効利用することが可能である。
【００１７】
また、ヒータユニット２０は、加熱部２４に隣接配置された収容部２６を備えているので、ヒータユニット２０のコード類や連結具３２など、一時的に使用しない備品類を収容部２６に収容することが可能であり、スペースを有効に利用して備品類の紛失を確実に防止することができる。
【００１８】
天板３０は、本実施形態においては下面に取付孔３１を形成し、連結具３２により支持板１０に固定可能に構成しているが、リバーシブルとして使用する場合等においては、取付孔３１を有しない構成であってもよい。天板３０を支持板１０に固定する手段としては、ボルト以外に、磁石や面ファスナー等を使用することも可能である。
【符号の説明】
【００１９】
１  電気こたつ
１０  支持板
１１  脚体
１２  開口
１４  段部
１６  貫通孔
２０  ヒータユニット
２２  蓋体
２４  加熱部
２６  収容部
２６ａ  出入口
３０  天板
３２  連結具
【図１】
2014219168.tif 000003
【図２】
2014219168.tif 000004
【図３】
2014219168.tif 000005